(57)【要約】【課題】  弱風でも回る装飾効果や観賞効果の高い回転吹流しおよび回転羽根を提供する。【解決手段】  軸孔（１３）を設けた螺旋状の羽根片（１１）から成る羽根（１）と、止具（２１）を設けた軸（２）とを備え、前記羽根（１）を前記軸孔（１３）を介して前記軸（２）に回転自由に保持して構成する。【選択図】  図１
2005319260.tif 000002
【特許請求の範囲】
【請求項１】
軸孔（１３）を設けた螺旋状の巻数１以上の羽根片（１１）から成る羽根（１）と、止具（２１）を設けた軸（２）とを備え、前記羽根（１）を前記軸孔（１３）を介して前記軸（２）に回転自由に保持して構成することを特徴とする回転吹流しおよび回転羽根。
【請求項２】
２条以上の同形追尾型の羽根片（１１）から成る羽根（１）を特徴とする請求項１記載の回転吹流しおよび回転羽根。
【請求項３】
羽根片（１１）を一枚のシートから軸孔（１３）周りの全方３６０度を整数分割して切出し成形加工することを特徴とする請求項２記載の回転吹流しおよび回転羽根。
【請求項４】
請求項１記載の回転吹流しの尾を備えることを特徴とする凧。
【発明の詳細な説明】
【技術分野】
【０００１】  本発明は、風を受けてなびく吹流しおよび風車に関するもので、詳しくは螺旋状の回転する吹流しおよび風車に関する。
【背景技術】
【０００２】  従来の類似の技術としては、筒部に筒内部を一端側から他端側に流れる風により筒軸周りに回転力を生じる手段を有する吹流し（例えば、特許文献１参照。）があった。また、筒部が下端の周方向の一方向に順次的に、かつ部分的に重なるように周接線方向に対して傾斜して貼りつけられた垂下片に受ける風力で周方向に回転する吹流し（例えば、特許文献２参照。）があった。しかし、吹流し自体が回転するものは無かった。
【特許文献１】特開２００１−５４４６１号公報（図１、３、８
【０００６】の１行目）
【特許文献２】実用新案公告公報平０３−２１６６８号（図１、３頁
【作用】
の下から７〜１行目）
【発明の開示】
【発明が解決しようとする課題】
【０００３】  従来は、次のような問題点があった。
（ア）筒状吹流しは筒全体を回転させるため質量が大きく回転しにくい。
（イ）吹流しの尾は風になびくだけでは変化が少ない。
上記のように、吹流しは回転性能や装飾性、面白味が必ずしも大きくなかった。
本発明は、弱風でも回る装飾効果や観賞効果の高い吹流しとするためになされたものである。
【課題を解決するための手段】
【０００４】  軸孔（１３）を設けた弾性質で螺旋状の羽根片（１１）から成る羽根（１）と、止具（２１）を設けた軸（２）とを備え、前記羽根（１）を前記軸孔（１３）を介して前記軸（２）に回転自由に保持、構成する。
【発明の効果】
【０００５】  風で回る吹流しで、弱風時でもなびき、揺らぎ、回って見える省スペース型の吹流しとなった。
詳述すると、羽根片（１１）吹流し尾は垂下した形が軸（２）周りに一方に旋回しながら下方へ傾斜して螺旋状に湾曲する薄細長片で、羽根（１）は羽根片（１１）に風を受けると羽根片（１１）が風下へなびきながら軸（２）周りの回転力を得て一種の風車羽根となって回転し、軸（２）にほぼ平行な方向に周期的に伸縮しながら羽根片（１１）先端が揺れる。羽根（１）はこの回転と伸縮と揺れで、激しく旋回しているように見える。さらに、羽根（１）は弱風で回転しない時でも、長く垂らした螺旋状の羽根片（１１）が水平方向の風に対する抵抗が大きく、僅かな風力でもなびき易いことと、螺旋形状からくる視覚上の錯覚効果があることから、僅かな風によるなびきや揺れの動きで羽根（１）が旋回しているように見え、目を楽しませてくれる。鉢植えや花壇等上に吊るしたり、室内空調設備の送風空気流の中に吊るして飾ると、風で様々になびき、揺らぎ、回る吹流しを面白く演出できて人目を惹きつけることができる。
また、収納時はシート状の原形の平面渦巻形状に縮小でき、省スペース収納ができる。
【発明を実施するための最良の形態】
【０００６】  以下、本発明の特徴を良く表している二条尾型の回転吹流しの代表的な実施形態について説明する。
図１は二条尾型の回転吹流し羽根（１）の正面図で、部分拡大図は羽根（１）軸孔（１３）および軸（２）の断面図である。図２は図１に示す羽根（１）の面図で、図３は図１に示す羽根（１）の製作用の平面展開図である。
先ず、構造を説明する。軸孔（１３）を設けた弾性質で螺旋状の羽根片（１１）から成る羽根（１）と、止具（２１）を設けた軸（２）とを備え、前記羽根（１）を前記軸孔（１３）を介して前記軸（２）に回転自由に保持し、前記軸（２）の前記止具（２１）と反対側に紐取付部（２２）を設け、前記紐取付部（２２）に吊紐（３）を取付けて構成する。そして、前記羽根（１）の取付部（１２）および前記軸孔（１３）は必要に応じて補強板（図示せず）および孔補強輪（１４）で補強する。羽根片（１１）は吊下げた時の垂下形が螺旋状に湾曲している弾性質の細長薄板状で、水平線に対し上面が下方へ約１０〜６０度の角度に傾斜保持されるもので、図１は傾斜角（β）が約２０度の例である。理想的には、羽根片（１１）は風力を受けて回転した時に全体が長く伸びて傾斜角が８０〜９０度に近づくが折れたり反り返ったりしないもので、かつ、風が止んだ時には初期の傾斜角に戻る弾性、柔軟性および形状記憶性に富んだ薄膜状ものが好ましい。
【作用】
【０００７】本発明の回転吹流し羽根（１）の作用について図１、２および４に基づき説明する。図４は図１の羽根（１）なびき状態の正面図（風上から見た）で、傾斜角（β）の約２０°まで風になびいた時の図である。
作用１：羽根片（１１）は吊下げられた垂下形が螺旋状に湾曲した弾性質の細長薄板状であって、図１に示すように羽根片（１１）上面が水平線に対し下方へほぼ一定の傾斜角（β）で傾斜しながら螺旋状に旋回している。垂下状態の羽根片（１１）は風正面が左右対称のため、図面手前から図面に垂直に吹く風（図２に示すＴ方向の）が羽根片（１１）面に当っても、始めは回転することなく風下方向に少しなびくだけである。羽根片（１１）は一旦風になびいて図４に示すなびき状態に傾くと、風の当る面積の対称性が崩れ、中心軸線の左側が大きく、右側が小さくなるため、風力によって左側がより多く押されて即ちＶ方向の時計回りに回転する。さらに、強風等により羽根片（１１）の中心軸線が水平までなびいた状態になったと考えると、羽根片（１１）の風正面は図２と同じ渦巻形になる。風は羽根片（１１）上面に当り、傾斜面に沿って面上をおおよそ直線的に流れ、外側端から接線方向に流れ去る。総体的に見ると大半の風はＵ回りに流れる。言換えると、羽根片（１１）には風の反作用が働き、反・Ｕ回りで、反・傾斜方向（Ｓ）の力が作用する。つまり、風になびく羽根（１）は風からＶ方向の回転力を受けて回転することができる。
作用２：斜めなびき時、風正面図（図４）の羽根片（１１）面積および形状は風力を垂直に受ける実質的な面積および形状であり、羽根（１）が軸中心線周りに回転すると羽根片（１１）形状および面積が変ることが読み取れる。つまり、羽根（１）は風から受ける羽根片（１１）の力が回転するに連れて周期的に変化するため、羽根片（１１）の特に湾曲半径の大きい尾先端が周期的に上下に振れながら旋回する。
軸線が水平保持されている時は風を受ける面積が一定のため、上述の回転に伴う周期的な振れは起こらない。
作用３：羽根（１）は弾性質の一シート上の渦状展開図から切出し成形加工することで加工前の平面的な展開図形に戻る性質が残存しているため、軸（２）方向に押圧すると容易に加工前の平面的なシート状に畳み込むことができ、省スペース的な収納ができる。
つまり、本吹流しは省スペース収納型の風力で回る回転吹流しである。
また、補足説明になるが、前述した二条尾型以外の吹流しにも、同様の作用が存在している。
【０００８】  次に、製作方法の代表的な一例を図３に基づき説明する。羽根（１）は一枚の弾性質のシートから製作する。図３は二つの同形追尾型である即ち二条尾型の吹流しの例で、羽根片（１１）から成る羽根（１）の形状を一枚のシートから軸孔（２１）周りの全方３６０度過不足無く整数分割するように決めて羽根（１）を切出すと切り屑が少なくて合理的である。羽根（１）形状の成形は、吊下げた羽根片（１１）が自重により垂下形が螺旋状になり、その接線方向の水平に対する傾斜角（β）が１０〜６０度程度に保持されるように材質（弾性強度）、厚さ、幅および長さを選択して間接的に設定するか、少し剛性の強いシートを選定して展開図を切出し、後から傾斜角（β）を１０〜６０度程度に直接的に成形加工しても良い。因みに図１は傾斜角（β）のβが約２０°の例である。そして、弾性質のシート上に作図するかまたは作図した展開図を貼る。作図は中心部に取付部（１２）、軸孔（１３）および孔補強輪（１４）を描き、前記取付部（１２）外周辺から対称に左右一方向に旋回する追尾形の二条尾の羽根片（１１）を平面状に隙間無く旋回させて描く。シート上に展開図を展開できたら、図１の部分拡大図に示すように金属板等の孔補強輪（１４）を貼り、軸孔（１３）を空け、根元で輪状につながった二条の羽根片（１１）を切出し成形して羽根（１）部を製作する。
【０００９】  次に、軸孔（１３）と軸（２）および止具（２１）の構成を、図１の部分拡大図に示すように、補強輪（１４）を貼り付けた軸孔（１３）にその裏側から止具（２１）付き軸（２）を刺通し、軸（２）長さに余裕を持たせて回転自由に保持させながら軸（２）先端部を輪状に曲げて吊付部（２２）を作る。そして、この吊付部（２２）に吊紐（３）を結びつけて全体の回転吹流しを製作する。
【００１０】  羽根（１）用シートの材質としては適度に剛性のある弾性質のプラスチック、合成繊維や金属等が好適である。また、補足的なことになるが、経済的な短時間用の簡易吹流しは、弾性質の強い硬質紙を使って作ることができる。同じく、雨天時でも使用できる簡易吹流しは撥水処理された硬質紙を使って作ることもできる。
【００１１】  小型の回転吹流しであれば、ビーズ手芸用のアルミニウム薄厚穴明き円板であるスパンコールを補強輪（１４）として使用し、裁縫用玉針の玉を止具（２１）として、針部を軸（２）として使用するのが実用的である。紐取付部（２２）は玉針の先部を焼きなまし後、曲げ加工し成形するとよい。また、さらに小型の回転吹流しであれば、二つの丸ビーズと一本の糸を使って止具（２１）と軸（２）の代わりをさせることができる。つまり、二つの丸ビーズに糸を刺通して端側のビーズを糸で結び別のもう一つの丸ビーズを寄せ合せて止具（２）とし、反対側の糸部を軸（２）として使用しても特に問題は無い。
【実施例１】
【００１２】  風車羽根への応用の例である合せ羽根（１ａ）を説明する。図５は合せ羽根（１ａ）型風車例の正面図で、風力の方向に回転軸をもつ風車形式である。前述の回転吹流し羽根（１）と風車用の羽根（１）の典型的な違いは、羽根（１）を回転自由に保持する軸（２）をどう支持するかである。前例は軸（２）を吊紐（３）で吊下げる方式で、後の例は軸（２）線を水平に保持しながら旋回自由に保持する方式である。そして、軸（２）は旋回軸（２４）を介して支持部材（４）の支持軸（４１）に水平旋回自由に保持、固定してある。羽根（１）は湾曲方向が左右反対方向に螺旋状に旋回する二個の二条尾型螺旋羽根（１）（図１に示した）を軸（２）上で反転して互いの羽根片（１１）末端部を図５の接続断面（Ａ、Ｂ）で接合させた合せ羽根（１ａ）構造である。一個に合わされた羽根片（１１）は左から右に向って反時計回りに螺旋状に旋回している。合せ羽根（１ａ）の軸（２）への支持方法は両端部の軸受（１５）で軸（２）上に回転自由に保持する構造で、両軸受（１５）部をそれぞれの二個の止具（２１）で位置を固定している。そして、軸（２）左端下部に旋回軸（２４）が接続してあり、この旋回軸（２４）を支持部材（４）上端部に設けた支持軸（４１）に旋回自由に支持する構造としてある。従って、合せ羽根（１ａ）は羽根片（１１）に風を受けると軸（２）が旋回軸（２４）を支点として水平旋回して自動的に風向を追従する構造となっている。風車羽根用の合せ羽根（１ａ）は安定回転できるように吹流し用の場合よりも剛性を強めている。図５に示した合せ羽根（１ａ）は羽根片（１１）の螺旋巻数が２の例で傾斜角（β）は約６°の例である。羽根片（１１）傾斜角（β）は、風速と羽根（１）回転角速度の関係から両端の螺旋小径側を大きく大径側を小さく成形すると、風車の回転効率を上げることができる。そして現実的な螺旋巻数は２〜５程度の範囲と推測される。また、合せ羽根（１ａ）は軸（２）周りに螺旋状羽根片（１１）で囲まれた空間部があるが、必要に応じてより小形のもう一つの合せ羽根（１ａ）を同軸上に組み込んで二重羽根式にすることができる。
【実施例２】
【００１３】  回転尾付き凧の代表例を説明する。図６は回転吹流し尾羽根（１）付き凧の正面図および部分拡大図で、凧の全体を正面図で、凧の尾部分を部分拡大図で示したものである。従来の凧の尾の代わりに回転吹流し羽根（１）を付けた凧の例で、回転吹流し尾の羽根（１）は上下２段の回転吹流し構造のものである。上段は前述の実施例１の時計回りする合せ羽根（１ａ）とは軸（２）の構成が異なる。即ち、軸（２）は上羽根側と下羽根側に分離している。上羽根側のみを上側の軸（２）と止具（２１）で凧本体部（６１）の尻部に吊紐（３）で接続してある。そして、合せ羽根（１ａ）の下羽根側は軸孔（１３）（図１参照）に下からリング（２３）と下段の羽根（１）の軸孔（１３）を重ね合せ、上下段結合用の軸（２）を刺通して２個の止具（２１）で位置を固定し上下段の羽根（１）を回転自由に保持、接続してある。下段の回転吹流し羽根（１）は反時計回りする一条尾型の例である。  凧揚げ方法は従来と同じである。凧は空に揚がると根元が太く先端が細い一本に見える尾が風になびき、上下が左右反対方向に回転しながら空を泳ぐように振れて面白い。
【実施例３】
【００１４】  筒型吹流しの代表例を説明する。図７は筒型吹流しの斜視図（但し、羽根（１）は正面図で示す）で、一本の筒に４本の回転吹流しを垂らした例である。回転吹流しの一垂れは反時計回りに回転する合せ羽根（１ａ）（前述の実施例２と同種のもの）と時計回転する二条尾型の羽根（１）を上下二段に重ねてある。上段の４個の合せ羽根（１ａ）は軸孔（１３）と軸（２）を回転しないように固定接続して、かつ軸（２）を回転できないように吊紐（３）の長さを殆どゼロにして筒部（５）下部に固定的に接続してある。そして、筒部（５）はその上部にある旋回自在連結具（５１）で筒軸周りに回転自在に保持してある。これにより、上段の合せ羽根（１ａ）に風を受けると個々に右回りの回転力を得られるが個別には回転しないで筒回転力（Ｗ）に合成されて筒部（５）が反時計回りに回転する構成としてある。下段の二条尾型の羽根（１）吹流しは図１に示すものと同じもので軸（２）により回転自由に保持（実施例２参照）してあり、４本が別々に独立してＶ方向の時計回りに回転する。
筒型吹流しは羽根片（１１）を裏表面別、段別に異なる色に彩色すれば、一段と変化に富んだ変り吹流しとなる。
収納は垂らした状態から垂直に下げながら羽根片（１１）をシート状に畳込んで重ね積みすると省スペースとなる。
【実施例４】
【００１５】  曲率半径同一の螺旋形で成る二条尾型吹流しの代表例を示す。図８は同一半径吹流し羽根（１）の正面図で、羽根片（１１）は螺旋巻数３から成る吹流しの例である。図９は図８の平面展開図で、取付部（１２）周辺を構成する上１枚と下３枚×左右２組の同一半径螺旋の羽根片（１１）で構成されている。計７枚の展開図の太実線部を切り離した後、それらの断面を組替えて図９に示したＡ１、Ａ２、Ａ３、Ａ４、Ａ５およびＢ１、Ｂ２、Ｂ３、Ｂ４、Ｂ５の接続断面の順番で繋ぎ替えてコイル状螺旋形に接続すると図８の回転吹流し羽根（１）ができあがる。
回転吹流しは上述の同一半径の螺旋形を組合せると長さおよび径を自由に設定することができるため、形状の制約は少ないと分かる。また、収納時は羽根片（１１）は曲率半径同一の枚数分のシートが平面状に巻き重ることで省スペース収納ができる。
【実施例５】
【００１６】  四角形状の螺旋形羽根から成る二条尾型の吹流しの例を説明する。図１０に四角形状螺旋吹流し羽根（１）の平面展開図を示した。基本構造は図３の螺旋形羽根と同じである。羽根片（１１）の形状のみが図３の円形状の螺旋形から図１０の四角形状の変則螺旋形に変っただけのもので、螺旋形の羽根（１）は作用が変ることなく風力により回転する。
他の多角形や楕円形要素を含む変則螺旋形の羽根片（１１）の吹流しも同様に作ることができる。【００１７】  以上特徴をまとめると、回転吹流しおよび螺旋形風車羽根は加工が簡単で回転性能および装飾に優れている。さらに、回転吹流しは平らなシート状に重ね置きができて省スペース収納ができる。
【図面の簡単な説明】
【００１８】
【図１】  本発明の実施例の正面図および部分拡大断面図
【図２】  図１の羽根（１）の平面図
【図３】  図１の羽根（１）の展開図
【図４】  図１の羽根（１）なびき状態の正面図（風向側から見た）
【図５】  合せ羽根（１ａ）型風車例の正面図
【図６】  回転吹流し尾羽根（１）付き凧の正面図および部分拡大図
【図７】  筒型吹流しの斜視図（但し、羽根（１）は正面図で示す）
【図８】  同一半径吹流し羽根（１）の正面図
【図９】  図８の平面展開図
【図１０】  四角形状螺旋吹流し羽根（１）の展開図
【符号の説明】
【００１６】１    羽根（回転尾）、  １ａ    合せ羽根
１１    羽根片
１２    取付部
１３    軸孔、  １４    孔補強輪、
１５    軸受（軸孔（１３）と同位置）
２    軸、  ２１    止具、  ２２    紐取付部、  ２３    リング、
２４    旋回軸
３    吊紐
４    支持部材、  ４１    支持軸
５    筒部、  ５１    旋回自在連結具
６    凧、  ６１  本体部、  ６２    凧糸
Ａ，Ａ１〜Ａ５，Ｂ，Ｂ１〜Ｂ５    接続断面
Ｒ    羽根片（１１）旋回方向、  Ｓ    羽根片（１１）傾斜方向、
Ｔ    風の方向、  Ｕ    風の羽根片（１１）面上進行方向、
Ｖ    羽根（１）回転力方向、  Ｗ    筒回転力方向、  β    傾斜角
【図１】
2005319260.tif 000003
【図２】
2005319260.tif 000004
【図３】
2005319260.tif 000005
【図４】
2005319260.tif 000006
【図５】
2005319260.tif 000007
【図６】
2005319260.tif 000008
【図７】
2005319260.tif 000009
【図８】
2005319260.tif 000010
【図９】
2005319260.tif 000011
【図１０】
2005319260.tif 000012